(57)【要約】【課題】本発明は、露光器において記録材料に印刷原稿（１５）を露光して記録する方法であって、露光ヘッド（１１）がＮレザー光線で生ぜしめられた露光点（２１）の直線的なアレーを記録材料の上に結像しかつ露光ヘッド（１１）が連続的に軸線方向の送りで露光ドラム（１）に沿って動かされるのに対し露光ドラム（１）が回転し、これにより印刷原稿（１５）を露光ドラム（１）に巻付けられた螺線に沿って記録する方法において傾き記録を修正すること。【解決手段】メモリーされた画像点マトリックス（２３）から、傾斜した読取り路に沿って取出された画像データでレザー光線をモジュレートし、その際、露光ドラム（１）の円周線に対し前記螺線が形成する角度で読取り路が画像点マトリックス（２３）を延びていること。【選択図】図４
2008276245.tif 000002
【特許請求の範囲】
【請求項１】
露光器における記録材料に対する印刷原稿の傾き記録を修正するための方法であって、
−記録材料を円周Ｕを有する露光ドラム（１）に張設すること、
−露光ヘッド（１１）でＮ本のレザー光線（１２）を生ぜしめ、該レザー光線（１２）を記録材料の上に、送り方向に配向された露光点の直線的なアレー（２１）として結像すること、
−露光ドラム（１）が回転させられている間に、露光ヘッド（１１）を連続的に、軸方向の送りで露光ドラム（１）に沿って動かし、これによって露光ドラム（１）に巻設された螺線に沿って印刷原稿（１５）を記録すること、
−画像線（２７）に組織された、記憶された画像マトリックス（２３）から取出された画像データでレザー光線（１２）をモジュレートし、この場合、画像線（２７）が画像点から構成され、露光ドラム（１）の周方向に延びかつ１画像点の幅を有していること、
−印刷原稿（１５）を長さ単位あたりＡ画像点の露光解像度で記録する方式のものにおいて、
（イ）傾斜した読取り路に沿って画像マトリックス（２３）の隣り合う画像線（２７）から読取られる線区分（２８）から記録線（２５）を形成し、
（ロ）次の画像線（２７）における次の線区分（２８）がそれぞれ開始する変換点Ｔｉが次式：
Ｔｉ＝[ｉ×（Ｕ×Ａ）／Ｎ]ＷＬ    （ｉ＝０，１，２，....）
によって決定されており、この場合括弧［  ］内の積はＷＬによって整数的に割ることのできる次の数に丸められており、ＷＬは画像点マトリックス（２３）に記録されているＢｉｔのメモリーのワード長さであり、
（ハ）レザー光線（１２）を記録線（２５）の画像データでモジュレートする、
ことを特徴とする、原稿を露光する際の傾き露光を修正する方法。
【請求項２】
読取り路が角度を成して画像点マトリックス（２３）を通って走っており、前記角度がほぼ、露光ドラム（１）の円周線に対し螺線が形成する角度である、請求項１記載の方法。
【請求項３】
Ｎ本の記録線（２５）が間隔１／Ａで平行に記録材料の上に露光される、請求項１又は２のいずれか１項記載の方法。
【請求項４】
Ｎ本の記録線（２５）が１／Ａの整数倍である間隔で平行に記録材料の上に露光される、請求項１又は２のいずれか１項記載の方法。
【発明の詳細な説明】
【技術分野】
【０００１】
本発明は電子的な再生産技術の分野に関し、かつ印刷原稿を記録するための露光器において記録材料、特に版板に対する印刷原稿の傾き記録を修正する方法に関する。
【背景技術】
【０００２】
再生産技術においては印刷しようとするすべてのエレメント、例えばテキスト、グラフ及び画像を含む印刷ページ用の印刷原稿が形成される。多色印刷のためには各印刷色インキ用として各色で印刷されるすべてのエレメントを有する個別の印刷原稿が形成される。４色印刷のための印刷色インキはシアン（Cyan）マゼンタ（Magenta）、イエロー及びブラック（CMYK）である。印刷インキに従って個別化された印刷原稿は色分解原稿とも呼ばれる。これらの原稿は通常はラスタ化され、露光器でフィルムの上に露光され、次いで該フィルムで、版の多い印刷のための印刷版を製作することができる。又、択一的に原稿を特殊露光装置にて即座に版板の上に露光するか又は原稿は直接デジタルデ−タとしてデジタル式の印刷機に引渡される。次いでそこで印刷原稿データは例えば印刷機へ統合される露光ユニットで版版に露光され、その直後に版印刷が開始される。
【０００３】
今日の技術では印刷原稿は電子的に再生産される。この場合、画像は色スキャナによりスキャニングされ、デジタルデータとして記憶される。テキストはテキスト処理プログラムで生ぜしめられ、かつグラフは記号プログラムで生ぜしめられる。レイアウトプログラムでは画像、テキスト及びグラフィックエレメントは、１印刷ページに編集される。印刷色に分解したあとで印刷原稿はデジタルの形で存在する。原稿を記述するためのデータフォーマットとしては今日では広くページ記述言語ポストスクリプト（Postscript）及びピーディエフ（PDF）が使用される。ポストスクリプトもしくはピーディエフデータは原稿を記録する前にラスタイメージプロセッサ（RIP）にて第１のステップで色分解CMYKのための色分解値に換算される。この場合には各画像点のために４つの色分解値が０から１００％の値領域のトーン値として生じる。色分解値は４つの印刷色、シアン、マゼンタ、イエロー及びブラックが被印刷材に印刷される色密度のための尺度である。４色よりも多くの色（装飾色）で印刷される特殊なケースでは各画像点は印刷色がもたらす色分解値で印刷される。色分解値は例えば画像点と印刷色あたり８ビットでデータ値として記憶されることができる。これによって値領域０％〜１００％までは２５６の階調に分けられる。
【０００４】
複数の印刷ページのデータは、見当標、裁断マーク及び折りマークのような別のエレメントのデータ並びに印刷コントロールフィールドと共に１印刷枚葉紙のための印刷原稿に編集される。この印刷枚葉紙データは同様に色分解値（CMYK）として準備される。
【０００５】
再生産しようとする色分解の種々異なる階調は、印刷においては、付与される印刷色インキの面積モジュール、すなわちラスタ化によってしか再現されない。印刷色インキの面積モジュールは例えば色分解データの種々のトーン値段階が大きさの異なるラスタ点に変換されるポイントラスタ化によって行なわれる。この場合ラスタ点は周期的に繰返されるラスタセルを有する規則的なラスタに配置される。色分解を版板の上に記録するためには、個々のラスタセルにおけるラスタ点はラスタ点よりも１等級大きさの小さい露光点から構成される。露光点の典型的な解像はセンチメートルあたり例えば１０００露光点である。つまり露光点は１０μｍ×１０μｍの寸法を有している。色分解値をラスタ点に変換することは、ラスタイメージプロセッサにおいて色分解値をさらに加工する場合の第２ステップで行なわれる。これによって色分解データは２つの明度値（露光されているかもしくは露光されていない）しか有していない高分解の２進値に変換される。この２進値がモジュール化された点ラスタの模様を形成する。この形式で各色分解の原稿データは高分解されたラスタビットマップの形式で記述される。このラスタビットマップは印刷面の上の各露光点のために１のビットを有する。このビットは前記露光点を露光するか否かを表示する。
【０００６】
印刷原稿と印刷版とを露光するために電子的な再生産技術にて使用される記録装置においては、例えばレザー光線がレザーダイオードによって生ぜしめられ、光学的な手段によって整形され、記録材料の上にフォーカスされ、変向システムを用いて点及び線状に記録材料の上に変向される。又、露光速度を高めるために例えば各レザー光線のために個別のレザー光線源を用いてレザー光線の光束を生ぜしめ、記録材料を擦過するたびに印刷版の複数の記録線を同時に露光する記録装置も考えられる。印刷版はフイルム材料の上に露光されることができるので、いわゆる色分解フイルムが生じる。次いでこの色分解フイルムは写真技術的な転写方法で版板の製作に用いられる。この代りに版板自体を版板露光器において又は版板露光ユニットが統合されているデジタル式印刷機にて直接的に露光することもできる。記録材料は平らな面の上にあるか（フラットベット露光器）又は円筒形の槽内にあるか（インナドラム露光器）又はドラムの上にある（アウタドラム露光器）ことができる。
【０００７】
フラットベット露光器は主として高速回転する多角ミラーで働く。この多角ミラーの鏡面はレザー光線を横方向に記録材料の上に変向する一方、同時に記録材料はレザー光線の変向方向に対し垂直に移動させられる。このような形式で記録線は次々と露光される。レザー光線が記録材料に亘って動かされる場合に光路の長さが変化するので、これに基づく露光点の大きさの変化を補償する費用のかかる結像レンズが必要である。
【０００８】
インナドラム型露光器の場合には露光しようとする材料は、部分的に開放した中空シリンダの内面に取付けられかつレザー光線で露光される。このレザー光線はシリンダ軸線に沿って変向装置に向けられる。この変向装置はレザー光線を記録材料に対し垂直に反射する。変向装置、プリズム又はミラーは稼動中には高速で回転し、その際シリンダ軸線の方向で移動させられるので、変向されたレザー光線は記録材料の上に円状又は螺旋状の記録線を記録する。
【０００９】
アウタドラム型露光器においては露光しようとする材料はフイルムまたは版板の形で、回転可能に支承されたドラムの上に取付けられる。ドラムは回転するのに対し、露光ヘッドは比較的に短い間隔で軸方向でドラムに沿って移動させられる。露光ヘッドはドラム表面の上に単数又は複数のレザー光線をフォーカスする。これらのレザー光線はドラム表面を螺線の形で擦過する。このような形式でドラムが１回転するたびに単数もしくは複数の記録線が記録材料の上に露光される。
【００１０】
露光時間を短縮し、ひいては露光器の経済性を高めるためにはアウタドラム型露光器は有利には、露光レンズを介し露光ドラムの軸線方向に方向付けられた露光点の直線的なアレーとして記録材料の表面に結像されたＮレザー光線束で働く。レザー光線の数は例えばＮ＝６４であることができるが、その整数倍であることもできる。露光ドラムが回転すると、Ｎ記録線は平行に露光され、このＮ記録線は螺線状に露光ドラムの表面に巻設される。露光ヘッドの送り速度は、露光ヘッドが１ドラム回転後、Ｎ記録線の幅に相応する区間だけドラムの軸線方向に動かされるように調節される。これにより、次のドラム回転に際して露光しようとするＮ記録線が先行するドラム回転で露光されたＮ記録線に直接的に接続することになる。他の作業形式、いわゆるインタリーブ書込み法ではレザー光線はそれぞれ１つの記録線幅の間隔を有するＮ露光点として結像されるのではなく、複数の記録線の幅に相応するより大きな間隔で結像される。露光ヘッドの送り速度は、連続するドラム回転に際し順次、最初に露光された記録線の間のすき間が別の記録線で充たされるように調節される。しかし、いずれの場合にもドラム１回転あたりの送り区間は、記録線が螺線に相応してはっきりと斜めに記録されるような大きさを有している。これにより方形のラスタビットマップの形の印刷原稿データには平行四辺形状のひずみが与えられる。
【００１１】
アウタドラム型露光器における印刷原稿データの傾きを補償するためには種々の方法が公知である。ＵＳ４５９１８８０号明細書においては、記録線のスタート点が回転ごとにいくらか前へずらされ、画像点の方形のマトリックスが記録されるが、しかし、このマトリックスは全体としては記録材料の縁に対し傾き記録の角度だけずらされる。
【００１２】
ＥＰ１３１８６６０Ａ２号明細書に開示された方法においては回転ごとに記録線のスタート点をずらすことに加えて、傾き記録の角度を補償するためには記録材料を露光ドラムの上に斜めに張設し、画像点マトリックスが方形にかつ記録材料の縁に対し平行に露光されるようになっている。
【００１３】
ＧＢ２１２９６５０Ａ号明細書に記載された方法によれば傾き記録の修正は、露光ヘッドが露光ドラムにて、傾き記録角度だけドラム軸線に対し傾斜した線に沿って動かされることで行なわれる。
【００１４】
ＥＰ０９１８２５５Ａ２号には、傾き記録を補償するために印刷原稿データにあらかじめひずみを与えることが記載されている。このためには印刷原稿データは傾き記録角度に対し逆向きに中間メモリーにてずらされる。したがって画像点マトリックスは逆向きに傾斜した平行プログラムに変形される。次いで傾斜記録により、あらかじめ与えられたひずみは除かれ、画像点マトリックスは方形に記録される。
【特許文献１】ＵＳ４５９１８８０号明細書
【特許文献２】ＥＰ１３１８６６０Ａ２号明細書
【特許文献３】ＧＢ２１２９６５０Ａ号明細書
【特許文献４】ＥＰ０９１８２５５Ａ２号明細書
【発明の開示】
【発明が解決しようとする課題】
【００１５】
本発明の課題は、印刷原稿がＮレザー光線で露光され、各ドラム回転でそれぞれＮ記録線が同時に露光されるアウタドラム型露光器における傾き記録を修正する選択的でかつ簡便な方法を提供することである。
【課題を解決するための手段】
【００１６】
本発明によれば前記修正は、記録に際し印刷原稿データが、画点マトリックスのためのメモリーから、傾き記録方向に傾き記録角度だけ傾けられた読取り路に沿って読取られることで行なわれる。このような形式で、画像点マトリックスをあらかじめひずませることなく又は画像データをメモリー内で移動させる必要なく、画像点マトリックスはひずみなしで記録される。
【発明を実施するための最良の形態】
【００１７】
図１には版板３の上に印刷原稿１５を露光するアウタドラム型露光器が示されている。露光ドラム１は回転可能に支承され、図示されていない回転駆動装置で回転矢印２の方向に等速回転させられることができる。露光ドラム１の上には露光されていない版板３が張設されている。版板３はその前縁４が露光ドラム１に固定結合されかつ露光ドラム１の表面から突出する支持ピン８に接触するように張設される。さらにクランプ条片９が版板３の前縁４を露光ドラム１の表面に不動に押付け、該前縁４を固定する。露光ドラム１の回転に際して版板３が遠心力によって剥離されないように、ドラム表面の孔を通して版板３を吸い付ける、図１に示されていない真空装置によって版板３はドラム表面に平らに保持される。付加的に版板３の後縁７はクランプ片１０で露光ドラム１からの剥離が阻止される。
【００１８】
露光ヘッド１１又は共通の露光ヘッド保持体１６に配置された複数の露光ヘッド１１は、比較的に短い間隔で軸方向で露光ドラム１に沿って動かされるのに対し、露光ドラム１は回転させられる。各露光ヘッド１１はＮレザー光線１２をドラム表面にフォーカスする。前記Ｎレザー光線１２はドラム表面を螺線の形で擦過する。このような形式でドラム１回転ごとに単数又は複数のＮ記録線グループが周方向ｘで記録材料の上に露光される。露光ヘッド保持体１６は送り方向ｙで送りスピンドル１３によって移動させられる。露光ヘッド保持体１６は送りスピンドル１３に形状接続的に結合され、送りスピンドル１３には送り駆動装置１４によって回転運動が与えられる。
【００１９】
複数の露光ヘッド１１を使用することで、露光器の生産性が高められる。特に大サイズの版板３の露光に対しては版板３が短時間で露光され得るので露光器の生産性は高められる。図１には例として、２つの露光ヘッド１１を有し、これらの露光ヘッド１１が軸方向で間隔Ｗをおいて配置され、それぞれＮレザー光線１２の１束を版板３の上にフォーカスする。これにより版板３は軸方向の間隔Ｗでドラム表面を擦過する記録線の２つのグループで同時に露光されることになる。露光ヘッド１１が送り区間Ｗを進んだあとで版板３の露光は完了する。
【００２０】
図２ａにはそれぞれＮレザー光線を用いた露光に際して生じる傾き記録が示されている。図２ａには周方向に寸法Ｕを有しかつ送り方向に寸法Ｖを有する展開されたドラム表面２０が示されている。ドラム表面２０の上には版板３が張設され、この版板３の上に、周方向に寸法Ｂをかつ送り方向に寸法Ｌを有する原稿１5が記録される。記録はそれぞれ平行に送り方向に配向された露光点２１の直線的なアレー（配列）として結像されるＮレザー光線１２で行なわれる。前記アレーにおける露光点２１の数は例えばＮ＝６４である。露光ドラムが回転するとＮの平行な記録線の画像ストライプ２２が露光される。これらの画像ストライプ２２は図２ａにおいてはＳ１，Ｓ２，Ｓ３等で示されている。解像Ａ、例えばＡ＝１００画像点／ｍｍでストラプ幅Ｑｍｍは、
Ｑ＝Ｎ／Ａ        （１）
となる。
【００２１】
露光ヘッドの送り速度は、露光ヘッドが１ドラム回転後、区間Ｑだけ送り方向に動かされ、ドラム各回転時に露光された画像ストライプ２２が継ぎ目なく相互に接続されるように調節される。
【００２２】
図２ｂには露光しようとする画像点マトリックス２３のためのメモリーオルガニゼーションが示されている。メモリーは２次元的に組織され、露光ドラム上の周方向に相当する次元方向ｕと露光ドラム上の送り方向に相当する次元方向ｖとを有している。画像点マトリックス２３は周方向ｕにＺＢ画像点を有している。つまり各線はＺＢ画像点を包含している。又、画像点マトリックス２３はＺＬ画像線を送り方向ｖで有している。画像線あたりの画像点の数ＺＢと画像線の数ＺＬは印刷原稿１５の寸法と解像度とから得られる。すなわち、
ＺＢ＝Ｂ×Ａ
ＺＬ＝Ｌ×Ａ        （２）
である。
【００２３】
それぞれＮの平行に露光された画像線からの画像ストライプ２２は画像点マトリックス２３においては画像線グループ２４に相応し、図２ｂにおいては符号Ｇ１，Ｇ２，Ｇ３等で示されている。各画像線グループ２４は１つの画像ストライプ２２として露光されるＮ記録線の画像データを含んでいる。記録線は露光ドラム１を巡る螺線に相応して傾斜して記録される結果、記録された原稿１５の上にて、画像点マトリックス２３の平行四辺形状のひずみが生じる。
【００２４】
本発明による方法によれば画像点マトリックス２３のメモリーからの画像データは、傾斜して位置し、その角度が、露光ドラム１の上の傾き記録の角度に相応している読取り路上で読取られる。これは図３に示されている。記憶された画像点マトリックス２３からは傾斜して位置する読取り路に沿って、当該画像点マトリックス２３の種々の画像線から区分的に取出された画像データから１つの記録線が編成される。それぞれＮの平行な記録線２５は１つの記録線グループ２６を形成する。記録線グループ２６は図３ではＲ０，Ｒ１，Ｒ２，Ｒ３等で示されている。画像線グループ２４は破線で示されている。各記録線グループ２６は相応する画像ストライプ２２として露光される。
【００２５】
図４には個々の画像線２７を有する画像点マトリックス２３の１区分と線区分２８からの記録線２５構成とが示されている。記録線２５はそれぞれＫ画像点長さを有する線区分２８から構成されている。記録線２５の第１のＫ画像点のために画像点マトリックス２３の第１の画像線２７の画像点０...Ｋ−１から第１の線区分２８が取出されたあとで記録線２５の次のＫ画像点のために、送り方向ｖで第１の画像線に隣接する画像線の画像点Ｋ...２Ｋ−１から第２の線区分２８が取出される等々。画像点Ｋの数は、線区分２８あたり、Ｎ線区分２８が合わせてドラム表面２０の円周ｕに相応する画像点の数をもたらすように定められている。つまり、式：
Ｋ＝(Ｕ×Ａ)／Ｎ        （３）
が成立する。
【００２６】
円周を定めるためには版板３の厚さが考慮される。つまり、円周Ｕは露光ドラム１の半径に版板３の厚さを加えたものから算出される。等式（３）によって決定されたＫの値は一般的には整数でないので、記録線２５が次の画像線２７へ変わる画像点は次の整数への丸めによって決定される。つまりｉ番目の線区分２８が開始する画像点Ｔｉには式：
Ｔｉ＝[ｉ×Ｋ]1    （ｉ＝０，１，２，....）        （４）
が成立する。
【００２７】
等式（４）においては大括弧のインデックス１は次の整数への丸めを意味している。画像点を数えることも線区分を数えることも零から開始される。図４においては変換点Ｔｉはスケールにマーキングされている。有利には１つの記録線グループ２６のすべての記録線２５のための次の線区分２８への変換はそれぞれ同じ変換点Ｔｉにて行われる。
【００２８】
画像点マトリックス２３における画像線２７の線区分２８から記録線２５を編成することは有利にはコンピュータプログラムで行なわれる。このためには例えば１つのメモリー領域に画像点マトリックス２３の画像線２７が十分に大きな数で準備される。第２のメモリー領域においては、記録線グループ２６のための記録線２５が中間記録される。この場合には記録線２５が形成される相応の線区分２８は第１のメモリー領域から第２のメモリー領域へ変換コピーされる。次の記録線グループ２６を編成するためには、そのためにそれぞれ必要な画像線２７が画像マトリックス２３から第１のメモリー領域に補充メモリーされる。この場合、全画像点マトリックス２３は例えば固定プレート上にメモリーされる。変換コピーする場合には記録データの９０度の回動を実施することもできる。この場合、画像点は、各露光位置のための露光点２１のアレーを制御するために、露光ドラム１の周方向で同時に必要とされる画像点が蜜にパックされるように選別される。記録に際し画像点マトリックス２３から画像データが消失しないように第１の記録線グループ２６（図３におけるＲ０）は送り方向で、該第１の記録線グループ２６が画像点マトリックス２３の前で開始するように位置せしめられる。この場合、記録線２５のハッチングが施された部分は零データで、すなわち記録材料の露光が行なわれない画像データで充たされる。編集された記録データは記録材料の直接的な露光のために露光ヘッド１１へ供給されるか、又は前記記録データはあとの時点で露光を実施するために固定プレートの上に中間メモリーされる。
【００２９】
画像点マトリックスは先に説明したようにラスタビットマップであり、つまり各画像点が１ビットの大きさであるので、例えば３２ビットのワード長さを有するメモリーにおいては有利には１つのメモリーワードにおいてそれぞれ３２画像点が含まれる。したがって特にコンピュータプログラムを用いた充填に際しては１つのメモリーワードにおける真ん中にある画像点Ｔｉにて次の線区分２８への変換を行なうことが面倒でかつ費用がかかる。したがって本発明の有利な実施例においては、１つの線区分２８から次の線区分への変換がメモリーワード限界だけにおいて実施されるようになっている。この場合にはｉ番目の線区分２８が開始する画像点Ｔｉは式：
Ｔｉ＝[ｉ×Ｋ]32    （ｉ＝０，１，２，....）        （５）
として決定される。
【００３０】
等式（５）においては大括弧のインデックス３２は３２で割ることのできる次の整数への丸めを意味している。
【００３１】
図５には本発明の方法の別の実施例が示されている。この場合には、１つの線区分２８から次の線区分への移行のための瞬間の変換が画像内容に関連して決定される。このためには等式（４）に従って算出された変換点Ｔｂの周辺に検査領域３０が形成される。この検査領域３０は円周方向ｕで算出された変換点Ｔｂの前の−ｍ画像点から、算出された変換点Ｔｂの後ろの＋ｍ画像点まで達している。数ｍは露光試験によって求めることができかつ記録された印刷原稿１５の良好な画像質を保証する経験値をベースとして規定される。適当な値は検査領域がほぼラスタ値と同じ大きさ、つまり印刷原稿１５のラスタ化の根底であるラスタセルの辺長さとほぼ同じ大きさである例えばｍ＝８の値である。この場合には検査領域３０内で、瞬間の画像線２７上で又は変換しようとする次の画像線上で、画像データにて白から黒へもしくは黒から白へ色飛躍が生じるか否かが検査される。検査領域３０内で色飛躍が存在していないと、次の線区分２８へ変換は算出された変換点Ｔｂにて行なわれる。検査領域３０の内部ではっきりした色飛躍が、瞬間の画像線２７にて又は次の画像線にて存在していると、瞬間の変換点Ｔｉは色飛躍個所へ向かって移動させられる。図５においては次の線区分２８を取出そうとする画像線２７において色飛躍を生ぜしめるラスタ点３１が記入されている。検査領域３０内に１つよりも多くの色飛躍が、瞬間の画像線２７及び／又は次の画像線において存在していると、瞬間の変換点Ｔｉは例えば周方向ｕで算出された変換点Ｔｂにもっとも近く位置する色飛躍に向かって移動させられる。この場合には瞬間の変換点Ｔｉの移動は他の法則にしたがって、例えば検査領域３０の内部の複数の色飛躍の任意選択にしたがって行なうこともできる。
【００３２】
画像内容によって制御された１つの線区分２８から次の線区分への変換は、検査領域の検査と瞬間の変換点Ｔｉをどこへ置くかという決定がすべての記録線に対し個別に実施されるように行なうことができる。しかし簡易化された形態で検査と決定を数Ｐの隣り合う記録線から成る１つの記録線２５のために実施し、ついで、次のＰ−１の記録線への変換点の位置に関する決定を引受けることができる。特別なケースではＰ＝Ｎである。つまり検査と決定は１つの記録線グループ２６からの１つの記録線２５のためだけに実施される。
【００３３】
本発明の方法は記録線２５が直接的に順次露光されるケースのために、つまり解像度Ａに相当する記録線の間の間隔を有するケースのために記述されてはいるが、本発明の方法はいわゆるインタリーブ（interleave）書込み法のために使用されることもできる。インタリーブ書込み法の場合には記録線２５は解像度Ａに相当する間隔よりも大きい間隔を有している。線数Ｎと線間隔との所定のコンビネーションで、連続するドラム回転にて順次、先きに露光される記録線２５の間のすき間が別の記録線で充たされるので、ついには記録材料のすき間のない露光が行なわれる。
【図面の簡単な説明】
【００３４】
【図１】アウタドラム型露光器の構造を示した図。
【図２ａ】展開されたドラム表面上の印刷原稿の傾き記録を示した図。
【図２ｂ】画像点マトリックスのためのメモリーオルガニゼーションを示した図。
【図３】画像線と記録線グループとの間の関係を示した図。
【図４】画像線の区分から成る記録線の構成を示した図。
【図５】記録線の構成の別の実施例を示した図。
【符号の説明】
【００３５】
１  露光ドラム、  ２  回転矢印、  ３  版板、  ４  前縁、  ７  後縁、  ８  接触ピン、  ９  クランプ条片、  １０  クランプ片、  １１  露光ヘッド、  １２  レーザ光線、  １３  送りスピンドル、  １４  送り駆動装置、  １５  原稿、  １６  露光ヘッド保持体、２０  ドラム表面、  ２１  露光点のアレー、  ２２  画像ストライプ、  ２３  画像マトリックス、  ２４  画像線グループ、  ２５  記録線、  ２６  記録線グループ、  ２７  画像線、  ２８  線区分、  ３０  検査領域、  ３１  ラスタ点
【図１】
2008276245.tif 000003
【図２ａ】
2008276245.tif 000004
【図２ｂ】
2008276245.tif 000005
【図３】
2008276245.tif 000006
【図４】
2008276245.tif 000007
【図５】
2008276245.tif 000008